(57)【特許請求の範囲】
【請求項１】
平面視頭部側に位置する一辺が頭部形状に合うように湾曲し、髪を載せる蒲鉾型の外周面を備えるベース枠と、
頭部側に位置する一方の縁を切り欠きとし、前記ベース枠の形状に合うアーチ状で、髪を挟持するためのクリアランスを設けて前記ベース枠を覆い、前記ベース枠と前記切り欠き以外で髪の根元付近を挟持し、髪にパーマ剤を塗布するための格子窓を備えた格子状のカバー枠と、
前記ベース枠と前記カバー枠を回動可能に繋ぐ連結部と、
前記連結部の反対側において前記ベース枠と前記カバー枠を係止するとともに使用時に位置保持のため摘まれる把持部とからなり、
髪の根元付近にカールをかけ髪を根元から起立させ、髪にボリュームを付与することを特徴とするパーマロッド。
【請求項２】
前記把持部が、前記ベース枠の前側面の下部を延長させ、斜め上方に伸ばし、さらに外側に曲げてなり、前記斜め上方に伸びる途中に前記ベース枠に向かって突出させた上突起を備え、
前記カバー枠の前側面の下部から把持部に向かって突出させた下突起に係止させ、前記ベース枠と前記カバー枠で髪を挟持することを特徴とする請求項１に記載のパーマロッド。
【請求項３】
前記カバー枠の縁を切り欠いた側に、頭部形状にそって平面視先端部が弧状軌跡を描き、髪をベース枠とカバー枠とで挟持する前に、髪を揃え、均し、払いのける櫛を備えることを特徴とする請求項１又は請求項２に記載のパーマロッド。
【請求項４】
前記ベース枠の外周面の両端部にカバー枠の格子に噛み合う噛合せ突起を設け、挟んだ髪のはみ出しとカバー枠のぐらつきを防止することを特徴とする請求項１乃至３のいずれか１項に記載のパーマロッド。
【発明の詳細な説明】
【技術分野】
【０００１】
本発明は、髪の根元にカールをかけ髪を起立させ、髪にボリュームを付与するパーマロッドに係り、より詳しくは髪にパーマをかける際に目的の箇所にのみパーマ液を滴下することのできるパーマロッドに関する。
【背景技術】
【０００２】
パーマは、ロッドに髪の毛を巻き付け、パーマ液で髪を成形することにより、思い通りの髪型を実現することができる。尚、パーマがよりかかるように、ペーパーや輪ゴム等を用いる。
【０００３】
特に、中高年の女性の髪は、細くなり、髪全体にボリュームがなくなる傾向にある。また、通常のパーマを掛けた場合、髪の根元が寝て長期間髪にボリュームを付与することができなかった。また、パーマ液で髪を傷めてしまう。
【０００４】
そこで、特許文献１に記載されているように、筒状のロッドを開いて中に巻きたくない毛髪を挟み込み、残りの毛髪を筒状に戻したロッドに巻いてパーマをかける根元用パーマロッドの発明も公開されている。
【発明の概要】
【発明が解決しようとする課題】
【０００５】
しかしながら、特許文献１に記載の発明は、パーマをかけない毛髪を筒状のロッドの中に挟み込むが、髪の毛が長い場合には筒状のロッドの中に入り切らなくなる可能性があるという課題がある。
【０００６】
そこで、本発明は、髪にパーマをかける際に目的の箇所にのみパーマ液を滴下することのできるパーマロッドを提供することを目的とするものである。
【課題を解決するための手段】
【０００７】
上記の課題を解決するために、本発明は、蒲鉾型のベース枠と、前記ベース枠を覆う格子状のカバー枠と、前記ベース枠と前記カバー枠を回動可能に繋ぐ連結部と、前記連結部の反対側において前記ベース枠と前記カバー枠を係止する把持部とからなり、カバー枠の一方の縁を切り欠き櫛状にすることで、髪の毛に挟んだ跡が残らないようにしたことを特徴とするパーマロッドの構成とした。
【発明の効果】
【０００８】
本発明は、蒲鉾型のベース枠と格子状のカバー枠の間に髪の毛を挟むので、髪の毛が長くてもまた短くても問題なく、また、パーマをかける箇所を挟持することができるので、パーマロッドの位置がずれることがなくパーマ液を目的の箇所に的確に滴下することができ、容易に髪の根元にカールをかけ髪にボリュームを付与することができる。また、パーマ施術中には、ベース枠とカバー枠に挟まない髪の毛にトリートメントを施すこともできる。
【０００９】
また、カバー枠の一方の縁を切り欠くことで、髪の毛に挟んだ跡が残らない。さらに、格子状のカバー枠に櫛を設けることで、パーマ施術の際に特に櫛を使用しなくても不要な髪を払いのけることができ、パーマ施術作業が簡素化される。
【図面の簡単な説明】
【００１０】
【図１】本発明であるパーマロッドの斜視図である。
【図２】本発明であるパーマロッドの平面図である。
【図３】本発明であるパーマロッドの正面図である。
【図４】本発明であるパーマロッドの背面図である。
【図５】本発明であるパーマロッドの前側面図である。
【図６】本発明であるパーマロッドの後側面図である。
【図７】本発明であるパーマロッドを開いた状態の平面図である。
【図８】本発明であるパーマロッドを開いた状態の正面図である。
【図９】本発明であるパーマロッドの使用状況を示す図である。
【発明を実施するための形態】
【００１１】
本発明であるパーマロッドは、蒲鉾型のベース枠と、前記ベース枠を覆う格子状のカバー枠と、前記ベース枠と前記カバー枠を回動可能に繋ぐ連結部と、前記連結部の反対側において前記ベース枠と前記カバー枠を係止する把持部とからなり、カバー枠の一方の縁を切り欠き櫛状にすることで、髪の毛に挟んだ跡が残らないようにし、ベース枠の外周面の両端部にカバー枠の格子に噛み合う噛合せ突起を設け、挟んだ髪のはみ出しとカバー枠のぐらつきを防止することを特徴とする。
【実施例１】
【００１２】
図１は、本発明であるパーマロッドの斜視図である。パーマロッド１は、ベース枠２、カバー枠３、連結部４、把持部５等からなり、髪の毛６の根元付近にパーマ用のパーマ剤６ａを付ける際に髪の毛６を挟んで留めておく器具である。
【００１３】
髪の毛６が細いと髪の毛６が根元から倒れて頭に張り付いた状態になりやすく、髪の毛６が薄く見える場合があるので、本発明では、髪の毛６を根元から立たせて根元部分に蒲鉾状のベース枠に沿ってカールをかけフワッとボリュームがあるように見せることができる。
【００１４】
パーマロッド１は、髪の毛６の根元付近を挟持し、パーマ剤６ａを掛ける際のガイドとすることにより、髪の毛６の根元付近のみにパーマ剤６ａを掛け、髪の毛６の先端から中央部分にかけてはパーマ剤６ａが掛からないようにすることができる。
【００１５】
図２は、本発明であるパーマロッドの平面図である。尚、図２において、ベース枠２の左側の端面を前側面とし、右側の端面を後側面とし、下側の端部を正面縁とし、上側の端部を背面縁とした。
【００１６】
図３は、本発明であるパーマロッドの正面図である。図４は、本発明であるパーマロッドの背面図である。図５は、本発明であるパーマロッドの前側面図である。図６は、本発明であるパーマロッドの後側面図である。
【００１７】
ベース枠２は、蒲鉾型の外周面２ａの両端部に噛合せ突起２ｂを複数設けたもので、前側面には把持部５が取り付けられ、後側面には連結部４が設けられ、表面には髪を挟むクリアランスを設けカバー枠３が被せられる。ベース枠２は、頭部形状に合うように僅かに湾曲する。
【００１８】
外周面２ａは、樹脂等で作った円柱を縦に半分に割って横にした時の半円状に湾曲した側周面であり、髪の毛６を挟む際に髪の毛６を載せる場所であり、前側面側及び後側面側の端部には噛合せ突起２ｂを設ける。
【００１９】
噛合せ突起２ｂは、カバー枠３の格子状に空いた部分に合わせて外周面２ａ上に凹凸を形成したもので、カバー枠３をベース枠２に被せたときに突起部分がカバー枠３の間隙を貫通する。噛合せ突起２ｂによって挟んだ髪がベース枠２からはみ出さないようになる。さらに、ベース枠２、カバー枠３の左右へのぐらつきを防止する。
【００２０】
カバー枠３は、アーチ状の枠体に複数の間隙を設けることで格子窓３ａを形成したものであり、正面縁は設けず切欠部３ｂとし、当該切欠部３ｂには櫛３ｃを設け、また、前側面には下突起３ｄを設ける。
【００２１】
格子窓３ａは、樹脂等を外周面２ａの形状に合わせて湾曲させたカバー枠３の枠体に対し、背面縁から正面縁に向かって切欠部３ｂの位置まで、矩形状の間隙を複数空けて格子状にしたものである。
【００２２】
切欠部３ｂは、カバー枠３とベース枠２の間に髪の毛６を挟んだ際に、背面縁から正面縁まで両枠で挟んでしまうと、縁における圧迫で髪の毛６に跡が残ってしまうので、カバー枠３の正面縁を切り欠き圧迫を解くことで、跡が残り難くしたものである。
【００２３】
櫛３ｃは、切欠部３ｂから正面縁に向かって一定間隔で間欠的に突出させ櫛状にすることにより、髪の毛６をベース枠２とカバー枠３の間に挟む前に、髪の毛６を揃えたり均すことができる。
【００２４】
下突起３ｄは、カバー枠３の前側面の下部において、把持部５に向かって突出させ、把持部５の上突起５ａに係止できるようにしたものである。尚、係止が解除できるように先端部のみが掛かるようにする。
【００２５】
連結部４は、ベース枠２の後側面とカバー枠３の後側面を連結した部分である。ベース枠２を固定した状態で、連結部４を支点として、カバー枠３を回動させることで、開いたり閉じたりすることができる。
【００２６】
把持部５は、ベース枠２の前側面の下部を延長させ、斜め上方に伸ばし、さらに外側に曲げることで、手で摘みやすくしたものである。尚、斜め上方に伸びる途中で、係止用の上突起５ａを設ける。
【００２７】
上突起５ａは、把持部５からベース枠２に向かって突出させ、閉じたカバー枠３の下突起３ｄに係止できるようにしたものである。尚、把持部５を外側に撓らせることで、上突起５ａと下突起３ｄの係止を解除する。また、図ではベース枠２、カバー枠３の係止を上突起５ａ、下突起５ｂとしたが、横方向の左右突起により係止しても良い。
【００２８】
図７は、本発明であるパーマロッドを開いた状態の平面図である。図８は、本発明であるパーマロッドを開いた状態の正面図である。図９は、本発明であるパーマロッドの使用状況を示す図である。
【００２９】
ベース枠２にカバー枠３を被せると、ベース枠２の噛合せ突起２ｂとカバー枠３の格子窓３ａが嵌合し、把持部５の上突起５ａとカバー枠３の下突起３ｄとが係止され、髪を挟んだ状態を維持することができる。
【００３０】
また、把持部５を外側に撓らせてカバー枠３の下突起３ｄを把持部５の上突起５ａによる押さえから開放することにより、カバー枠３を開くことができる。撓る箇所は強度が弱いと折れやすくなるので、補強しても良い。
【００３１】
連結部４は、ベース枠２の後側面の一部と、カバー枠３の後側面の一部とが繋がるように、薄く一体成形し、中心に折り目を付けることで、回動可能とすることができる。尚、カバー枠３を回動できるように、形状的な余裕も設けておく。また、連結部４は、図示した一枚の板形状に限定されるものではない。例えば、ベース枠２、カバー枠３の一方に筒を形成し、他方に前記筒に挿通する軸を設けた蝶番形状であっても構わない。
【００３２】
ベース枠２及びカバー枠３については、正面縁側を頭に向けるため、頭の形状に合わせて全体を湾曲させる。これにより、パーマ剤６ａの塗布も頭の形状に合わせてすることが可能となる。尚、パーマロッド１は、正面縁側を上に、上下逆向きで使用しても良い。
【００３３】
図９に示すように、まず、カバー枠３を回動させ開いた状態で、髪の毛６の一部を櫛３ｃで均した上で揃えて外周面２ａに載せる。次に、カバー枠３を閉じて髪の毛６をベース枠２とカバー枠３の間に挟持する。
【００３４】
把持部５を摘んでパーマロッド１の位置を保持した状態で、カバー枠３の格子窓３ａを通してパーマ剤６ａを塗布することにより、髪の毛６の挟まれている部分のみにパーマ剤６ａを付けることができる。
【００３５】
尚、カバー枠３の縁に切欠部３ｂがなく、ベース枠２全体を覆うカバー枠３で髪の毛６を縁まで挟んでいると、髪の毛６が縁で曲がりやすく、パーマ剤６ａを付けた際に跡が残りやすい。切欠部３ｂを設けることで、パーマ剤６ａが掛かる場所における圧迫を軽減することができる。
【００３６】
また、切欠部３ｂにより髪の毛６に塗布したパーマ剤６ａが縁に集中せず満遍なく付けることが可能となるため、パーマ剤６ａが付いた部分と付かない部分の境で曲がってしまうことも防ぐことができる。
【符号の説明】
【００３７】
１        パーマロッド
２        ベース枠
２ａ      外周面
２ｂ      噛合せ突起
３        カバー枠
３ａ      格子窓
３ｂ      切欠部
３ｃ      櫛
３ｄ      下突起
４        連結部
５        把持部
５ａ      上突起
６        髪の毛
６ａ      パーマ剤
【先行技術文献】
【特許文献】
【００３８】
【特許文献１】特開２００４−２３７０３０号公報
【図１】
0005496577.tif 000002
【図２】
0005496577.tif 000003
【図３】
0005496577.tif 000004
【図４】
0005496577.tif 000005
【図５】
0005496577.tif 000006
【図６】
0005496577.tif 000007
【図７】
0005496577.tif 000008
【図８】
0005496577.tif 000009
【図９】
0005496577.tif 000010